(57)【特許請求の範囲】
【請求項１】
建物の外壁面から外側へ突出した出窓ユニットと、前記建物の外壁に取り付けられ一端が前記建物外に開口されている光ダクトと、を備えた採光装置であって、
前記出窓ユニットは、前記建物の躯体から張り出す上部及び下部と、前記上部と前記下部との間に設置された窓部及び側部と、前記上部、前記下部、または前記側部のうち少なくとも一つに開口する開口部と、前記開口部を開閉可能に覆う蓋と、を備えており、
前記光ダクトは、前記建物外に開口する採光口と、前記開口部に連通する放光口と、前記放光口を覆う透光カバーと、を備えており、
前記出窓ユニットには、前記光ダクトから前記出窓ユニット内に入射する光を、前記建物の室内側に向けて反射させる反射部材が備えられており、
前記反射部材は、前記窓部または前記側部のうち少なくとも一つが通風可能になるように設置されると共に、前記出窓ユニットに着脱可能に設置されていることを特徴とする採光装置。
【請求項２】
前記反射部材は、通風可能な形状に形成されていることを特徴とする請求項１に記載の採光装置。
【請求項３】
前記反射部材は、拡散反射板から成ることを特徴とする請求項１又は請求項２に記載の採光装置。
【請求項４】
前記光ダクトは、ハニカムパネルで構成されていることを特徴とする請求項１乃至請求項３のいずれか一項に記載の採光装置。
【請求項５】
前記光ダクトは、断熱パネルで構成されていることを特徴とする請求項１乃至請求項４のいずれか一項に記載の採光装置。
【請求項６】
前記反射部材及び前記光ダクトの内面は、金属素材又は樹脂素材から成ることを特徴とする請求項１乃至請求項５のいずれか一項に記載の採光装置。
【発明の詳細な説明】
【技術分野】
【０００１】
本発明は、建物内に光を採り入れる採光装置に関する。
【背景技術】
【０００２】
従来、建物外に光ダクトを設置するとともに、建物の窓から離間した場所に光ダクトの放光口を設置して、建物内へ太陽光を入射させる採光装置が開示されており（特許文献１参照。）、また、建物の窓に光ダクトの放光口を密着させて設置して、建物内へ太陽光を入射させる採光装置が開示されている（特許文献２参照。）。
【特許文献１】実開昭５１−１０６１３５号公報
【特許文献２】実開昭５１−９３１１３号公報
【発明の開示】
【発明が解決しようとする課題】
【０００３】
特許文献１に記載の採光装置では、放光口が窓から離間して設置されているため、放光口から窓に入射する間に光が拡散し、窓から建物内へ入射する太陽光の量が減少していた。            
また、特許文献２に記載の採光装置では、放光口が窓に密着して設置されているため、光ダクトからしか太陽光を採り入れることができず、窓から太陽光を採り入れることができなかった。
【０００４】
本発明は、かかる問題を解決するために創案されたものであり、光ダクトから太陽光を採り入れつつ、窓からも太陽光を採り入れることができる採光装置を提供することを課題とする。
【課題を解決するための手段】
【０００５】
前記課題を解決するために、本発明は、建物の外壁面から外側へ突出した出窓ユニットと、前記建物の外壁に取り付けられ一端が前記建物外に開口されている光ダクトと、を備えた採光装置であって、前記出窓ユニットは、前記建物の躯体から張り出す上部及び下部と、前記上部と前記下部との間に設置された窓部及び側部と、前記上部、前記下部、または前記側部のうち少なくとも一つに開口する開口部と、前記開口部を開閉可能に覆う蓋と、を備えており、前記光ダクトは、前記建物外に開口する採光口と、前記開口部に連通する放光口と、前記放光口を覆う透光カバーと、を備えており、前記出窓ユニットには、前記光ダクトから前記出窓ユニット内に入射する光を、前記建物の室内側に向けて反射させる反射部材が備えられており、前記反射部材は、前記窓部または前記側部のうち少なくとも一つが通風可能になるように設置されると共に、前記出窓ユニットに着脱可能に設置されていることを特徴とする。
【０００６】
本発明によれば、出窓ユニットは、上部、下部、または側部のうち少なくとも一つに開口する開口部を備え、光ダクトは、開口部に連通する放光口を備えているので、光ダクトから太陽光を採り入れつつ、窓からも太陽光を採り入れることができる。
【０００７】
また、本発明によれば、前記出窓ユニットには、前記光ダクトから前記出窓ユニット内に入射する光を、建物の室内側に向けて反射させる反射部材が備えられており、前記反射部材は、前記窓部または前記側部のうち少なくとも一つが通風可能になるように設置されているので、窓の通風性を確保しつつ、室内に光ダクトから入射する太陽光を効率良く導くことができる。
更に、本発明によれば、光ダクトが建物の外壁に取り付けられているので、既設建物にも容易に設置することができる。
【０００８】
また、前記反射部材は、通風可能な形状に形成されていることが好ましい。このようにすると、窓の通風性を確保しつつ、室内に光ダクトから入射する太陽光を効率良く導くことができる。
【００１０】
また、前記反射部材は、拡散反射板から成ることが好ましい。このようにすると、光ダクトから出窓ユニット内に入射して、拡散反射板に反射した太陽光が、室内に向かって均一に広がるため、太陽光のムラをなくすことができ、室内全体を均一に明るくすることができる。
【００１１】
また、前記光ダクトは、ハニカムパネルで構成されていることが好ましい。このようにすると、光ダクトの軽量化を図ることが可能になるので、取扱いが容易となり、採光装置設置時の作業効率が向上する。また、既設建物の耐荷重にも十分対応することができるため、既設建物への設置の自由度が高まる。
【００１２】
また、前記光ダクトは、断熱パネルで構成されていることが好ましい。このようにすると、光ダクトの反射面での結露を防止することが可能になり、採光効率の低下を抑制することができる。
【００１３】
前記反射部材及び前記光ダクトの内面は、金属素材又は樹脂素材から成ることが好ましい。このようにすると、金属素材や樹脂素材のうち特に反射率の高い素材を使用すれば、光ダクトで採り入れた太陽光を減衰させることなく、室内まで導くことができる。
【発明の効果】
【００１４】
本発明に係る採光装置によれば、光ダクトから太陽光を採り入れつつ、窓からも太陽光を採り入れることができる。
【発明を実施するための最良の形態】
【００１５】
次に、本発明の実施形態について、適宜図面を参照しながら説明する。本実施形態では、本発明を戸建て住宅の出窓に適用した場合を例にして説明する。尚、以下の記載において、戸建て住宅のことを、「建物Ｔ」という。
【００１６】
第１の実施形態に係る採光装置１は、図１に示すように、出窓ユニット２と、光ダクト３とから主に構成されている。
【００１７】
出窓ユニット２は、図１及び図２に示すように、平面視台形状を呈し、建物Ｔの外壁面から突出して形成されている。すなわち、出窓ユニット２は、図２に示すように、建物の躯体に設けられた開口部Ｋから建物外側に突出するように設けられており、建物の躯体から張り出す枠４と、この枠４の上面に取り付けられる上部５と、この枠４の下面に取り付けられる下部６と、この枠４の側面に取り付けられるとともに、上部５と下部６との間に設置された側部７Ａと、この枠４の正面に取り付けられるとともに、上部５と下部６との間に設置された窓部７Ｂと、から主に構成されている。尚、本実施形態では、建物の躯体とは、建物の壁体、柱、梁などである。以下、単に「躯体」という。
【００１８】
枠４は、図２に示すように、アルミニウム合金製の押出形材から成り、建物Ｔの躯体に形成された開口部Ｋを囲むようにして、躯体に固定されており、一対の袖枠ユニットＵ１，Ｕ１と、正面枠ユニットＵ２とから主に構成されている。
【００１９】
袖枠ユニットＵ１は、図２に示すように、開口部Ｋに沿って躯体に取り付けられた縦枠４Ａと、縦枠４Ａから離間して設置された方立４Ｂと、縦枠４Ａ及び方立４Ｂの上端間に架け渡された袖上枠４Ｃと、縦枠４Ａ及び方立４Ｂの下端間に架け渡された袖下枠４Ｄとから構成されており、四角枠状に組み合わされている。縦枠４Ａは、袖上枠４Ｃ及び袖下枠４Ｄを介して、方立４Ｂと連結している。縦枠４Ａ及び方立４Ｂは、ネジ止めなどにより機械的に袖上枠４Ｃ及び袖下枠４Ｄに接合されるとともに、縦枠４Ａは、ネジ止めなどにより機械的に躯体に固定されている。
【００２０】
正面枠ユニットＵ２は、一対の方立４Ｂ，４Ｂの上端間及び下端間にそれぞれ架け渡された正面上枠４Ｅ及び正面下枠４Ｆとから構成されており、四角枠状に組み合わされている。正面上枠４Ｅ及び正面下枠４Ｆは、方立４Ｂ，４Ｂに接合されている。尚、本実施形態では、袖枠ユニットＵ１の方立４Ｂは、正面枠ユニットＵ２の縦枠として兼用されている。
【００２１】
上部５は、平面視台形状を呈し、例えば、天板や屋根カバーなどから成る。上部５は、枠４の上面を覆うように設けられていて、例えば、ネジ止めなどにより機械的に枠４に固定されている。また、上部５には、上下方向に貫通する開口部５Ａが設けられている。開口部５Ａは、本実施形態では、平面視四角形状を呈している。
【００２２】
下部６は、平面視台形状を呈し、例えば、受台カバーや地板などから成る。下部６は、枠４の下面を覆うように設けられていて、例えば、ネジ止めなどにより機械的に枠４に固定されている。尚、本実施形態の下部６は、上部５と対向して平行に設けられている。
【００２３】
側部７Ａは、本実施形態では、窓であり、正面視略矩形状を呈し、例えば、ガラス板などから形成されている。本実施形態の側部７Ａは、開き窓であり、開閉可能に設けられている。また、側部７Ａは、上部５と下部６との間に設置されるとともに、窓部７Ｂの両側に配置されており、躯体の開口面を挟んでハ字状に対向している。
【００２４】
窓部７Ｂは、正面視略矩形状を呈し、例えば、ガラス板などから形成されている。本実施形態の窓部７Ｂは、引き違い窓であり、開閉可能に設けられている。また、窓部７Ｂは、上部５と下部６との間に設置されるとともに、一対の側部７Ａ，７Ａ間に配置されており、躯体の開口面に対して平行に設置されている。
【００２５】
光ダクト３は、太陽光を建物Ｔ内に導く役割を果している。光ダクト３は、図１に示すように、建物Ｔの高さ方向に沿って、外壁に取り付けられている。光ダクト３は、固定部材Ｒを介して、建物Ｔの外壁に固定されている。光ダクト３の内面には、反射面が設けられている。当該反射面は、例えば、金属素材や樹脂素材などから形成されており、特に、軽量化や耐食性という観点からアルミニウム合金を用いるのが好ましい。
【００２６】
また、光ダクト３は、採光口３Ａ及び放光口３Ｂを備えている。すなわち、光ダクト３の採光口３Ａ（一端）は、建物外の場所に開口しており、放光口３Ｂ（他端）は、上部５に設けられた開口部５Ａに連通している。図示は省略するが、光ダクトの採光口３Ａおよび放光口３Ｂは、透光性素材からなる透光カバーで覆われる。光ダクト３の出窓ユニット２への取り付けは、例えば、ネジ止めなどの機械的接合もしくは接着剤などの手段により接合すればよい。かかる構成により、光ダクト３の採光口３Ａに入射した太陽光は、反射を繰り返しながら光ダクト３内を進み、放光口３Ｂを通じて出窓ユニット２内へ放光され、建物Ｔ内へ入射する。
【００２７】
以上説明した第１の実施形態に係る採光装置１によれば、光ダクト３が出窓ユニット２の開口部５Ａに連結しているので、光ダクト３から太陽光を採り入れつつ、側部７Ａ及び窓部７Ｂからも太陽光を採り入れることができる。
【００２８】
また、室内側から側部７Ａ及び窓部７Ｂを見たときに光ダクト３が視界に入らないため、側部７Ａ及び窓部７Ｂからの眺望が損なわれない。
【００２９】
また、光ダクト３は、建物Ｔの外壁に取り付けられており、既設建物にも容易に設置することができる。すなわち、光ダクト３は、建物Ｔの外壁に取り付け可能であるので、既設建物にも設置することが可能となる。
また、光ダクト３の内面を、金属素材や樹脂素材などのうち特に反射率の高い素材で構成することで、光ダクト３で採り入れた太陽光を減衰させることなく、室内まで導くことができる。
【００３０】
尚、本実施形態では、枠４は、アルミニウム合金から形成されているが、これに限定されることなく、適宜変更してもよい。例えば、その他の非鉄金属やステンレスなどの金属材から形成されてもよいし、合成樹脂や合成木材などのようなアルミニウム合金に比べて断熱効果の高いものから形成されても構わない。
【００３１】
また、上部５の開口部５Ａの形状及び数は、光ダクト３の形状及び数などに一致すれば、適宜変更してもよい。
【００３２】
また、本実施形態では、開口部５Ａを上部５の長手方向の略中央に設置したが、これに限定されることなく、側部７Ａ，７Ａのどちらか一方の近傍に設置してもよい。
【００３３】
また、本実施形態では、上部５の一部に開口部５Ａを設けたが、上部５全体を開口してもよい。すなわち、出窓ユニット２の上面に天板などを設置せずに開放して、その開口面に適合するように放光口３Ｂを設置してもよい。このようにすると、建物Ｔ内へ太陽光をより多く採り入れることができる。
【００３４】
また、下部６に開口部を設けて、下部６に光ダクト３を連結してもよいし、側部７Ａに開口部を設けて、側部７Ａに光ダクト３を連結しても構わない。また、上部５、下部６、側部７Ａへの開口部の設置を組み合わせてもよい。例えば、上部５と下部６の両方に開口部を設けて、両方の開口部に光ダクト３を連結してもよいし、上部５、下部６、側部７Ａの全てに開口部を設けて、全ての開口部に光ダクト３を連結しても構わない。また、側部７Ａ，７Ａの両方に開口部を設けてもよいし、どちらか一方に開口部を設けても構わない。
【００３５】
また、開口部５Ａに開閉自在な蓋を設けてもよい。このようにすると、光ダクト３から太陽光を室内に採り入れたいときには、蓋を開けて採り入れ、光ダクト３から太陽光を室内に採り入れたくないときには、蓋を閉めて遮光することができるため、光ダクト３からの採光の自由度が高まる。
【００３６】
また、本実施形態の側部７Ａ，７Ａは、窓であるが、壁にしてもよい。また、側部７Ａのうちいずれか一方を窓にして、側部７Ａのうちいずれか他方を壁にしてもよい。
【００３７】
また、本実施形態では、側部７Ａ，７Ａは、開き窓であり、窓部７Ｂは、引き違い窓であるが、これに限定されることなく、公知の窓形式を適宜選択して用いることができる。例えば、引き違い窓、開き窓、上げ下げ窓（縦辷り出し窓）、ＦＩＸ窓（嵌め殺し窓）などの中から適宜選択して、全ての側部７Ａ及び窓部７Ｂを同一の窓形式にしてもよいし、異なる窓形式を組み合わせても構わない。また、一対の側部７Ａ，７Ａをそれぞれ異なる窓形式にしても構わない。例えば、一方の側部７Ａを開き窓として、他方の側部７Ａを上げ下げ窓などにしても構わない。また、側部７Ａ及び窓部７Ｂに、障子、網戸、面格子、装飾格子などを設けても構わない。
【００３８】
また、光ダクト３の採光口３Ａまたは放光口３Ｂと透光カバーとの間にシール材を介設してもよいし、光ダクト３の放光口３Ｂ側の透光カバーと出窓ユニット２との間にシール材を介設してもよい。
【００３９】
また、光ダクト３は、ハニカムパネルで構成されてもよい。このようにすると、光ダクト３の軽量化を図ることが可能になるので、取扱いが容易となり、採光装置１設置時の作業効率が向上する。また、既設建物の耐荷重にも十分対応することができるため、既設建物への設置の自由度が高まる。
【００４０】
また、光ダクト３は、断熱パネルで構成されてもよい。このようにすると、光ダクト３の反射面での結露を防止することが可能になり、採光効率の低下を抑制することができる。
【００４１】
また、図示は省略するが、光ダクト３の採光口３Ａに太陽追尾装置を設けても構わないし、光ダクト３を建物Ｔの内部に取り付けても構わない。
【００４２】
また、本実施形態では、建物Ｔに出窓ユニット２が１つ設置されている場合について述べたが、出窓ユニット２が複数ある場合には、出窓ユニット２ごとに光ダクト３を設置してもよいし、１つの光ダクト３の端部を分岐させて、複数の放光口３Ｂを形成し、複数の出窓ユニット２の開口部に連通しても構わない。このようにすると、光ダクト３の数を減らすことができるため、光ダクト３の施工コスト及び施工手間を低減することができる。
【００４３】
次に、本発明の第２の実施形態について、図３を用いて説明する。尚、第２の実施形態に係る採光装置１の説明においては、第１の実施形態に係る採光装置１と重複する部分については、説明を省略する。
【００４４】
第２の実施形態に係る採光装置１は、反射部材８を設置した点で第１の実施形態と相違する。
【００４５】
反射部材８は、光ダクト３から出窓ユニット２内に入射する太陽光を建物Ｔの室内側に向けて反射させる役割を果たす。反射部材８は、図３に示すように、正面視矩形状を呈し、例えば、ガラス板の片面にアルミニウムや銀などの金属を蒸着したものや、プラスチックやポリエステルフィルムなどの樹脂素材の両面に金属を蒸着したものなどから成る。また、反射部材８の反射面は、本実施形態では、光を拡散反射するように形成されている。すなわち、本実施形態の反射部材８は、その反射面に微細な凹凸が形成されている拡散反射板から成る。
【００４６】
ここで、拡散反射板の形成方法について説明する。まず、反射面が平滑な反射部材を用意し、その反射面にブラスト処理などを施し、微細な凹凸を形成する。次に、当該凹凸を形成後に反射面（層）を蒸着やスパッタリングなどで形成するか、又は、当該凹凸を形成後に反射面（層）に白色調の塗膜を形成する。以上の工程を経て、反射面に当たった太陽光が拡散する拡散反射板が完成する。尚、その他の公知の方法で、拡散反射板を形成しても差し支えない。
【００４７】
かかる反射部材８は、出窓ユニット２内に設置されており、窓部７Ｂの全域を覆うとともに、窓部７Ｂに対して傾倒して設置されている。すなわち、反射部材８は、上部５と下部６との間に設置されており、光ダクト３から出窓ユニット２内に入射する太陽光を室内側へ反射できるように傾斜して設置されている。反射部材８の上端は、開口部５Ａの開口縁部に固定され、その下端は、下部６の上面に固定されており、例えば、ネジ止め等の機械的接合や接着剤などにより固定されている。
【００４８】
以上説明した第２の実施形態に係る採光装置１によれば、光ダクト３が出窓ユニット２の開口部５Ａに連結しているので、光ダクト３から太陽光を採り入れつつ、側部７Ａからも太陽光を採り入れることができる。
また、反射部材８は、側部７Ａが通風可能になるように出窓ユニット２内に設置されているので、側部７Ａの通風性を確保しつつ、光ダクト３から出窓ユニット２内に入射する太陽光を建物Ｔの室内に効率良く導くことができる。
【００４９】
また、反射部材８は、拡散反射板から成るので、光ダクト３から出窓ユニット２内に入射して、拡散反射板に反射した太陽光が、室内に向かって均一に広がるため、太陽光のムラをなくすことができ、室内全体を均一に明るくすることができる。
【００５０】
また、反射部材８は、金属素材や樹脂素材のうち反射率の高い素材で構成されており、光ダクト３で採り入れた太陽光を減衰させることなく、室内まで導くことができる。
【００５１】
尚、本実施形態では、反射面に微細な凹凸が形成されている拡散反射板を用いたが、これに限定されることなく、例えば、その反射面が平滑な反射部材８を用いても構わない。
【００５２】
また、反射部材８の形状は、本実施形態に限定されることなく、適宜変更してもよい。例えば、図４に示すように、正面視台形状等に形成してもよい。このようにすると、窓部７Ｂからも外部の拡散光を採り入れることや窓部７Ｂからの眺望を確保することが可能となる。また、窓部７Ｂの通風性を確保しつつ、光ダクト３から出窓ユニット２内に入射する太陽光を建物Ｔの室内に効率良く導くことができる。尚、反射部材８と窓部７Ｂとの間には、隙間が形成されているため、窓部７Ｂの鍵Ｇを操作することができ、開閉を行うことが可能となる。
【００５３】
また、図５（ａ）に示すように、反射部材８に複数の貫通孔８Ａ，８Ａ・・・を形成してもよい。このようにすると、窓部７Ｂの通風性をより確保しつつ、室内に光ダクト３から入射する太陽光を効率良く導くことができる。尚、貫通孔８Ａの形状、大きさ、数は、これに限定されることなく、適宜変更してもよい。
【００５４】
また、図５（ｂ）に示すように、反射部材８の形状をブラインド形状にしてもよい。このようにすると、窓部７Ｂの通風性をより確保しつつ、室内に光ダクト３から入射する太陽光を効率良く導くことができる。また、ブラインド形状にすると、お洒落な雰囲気を醸し出すことができるため、意匠的にも好適である。
【００５５】
また、その他の通風可能な形状として、例えば、反射部材８にスリット状の隙間を形成してもよいし、ルーバー形状などに形成しても構わない。これらのようにしても、窓部７Ｂの通風性をより確保しつつ、室内に光ダクト３から入射する太陽光を効率良く導くことができる。
【００５６】
また、図６（ａ）に示すように、窓部７Ｂの上下方向の高さの半分以下に、反射部材８を形成してもよい。このようにすると、窓部７Ｂの通風性をより確保しつつ、室内に光ダクト３から入射する太陽光を効率良く導くことができるとともに、窓部７Ｂからの眺望も損なわれない。
【００５７】
また、反射部材８の設置場所は、本実施形態に限定されることなく、適宜変更してもよい。例えば、図６（ｂ）に示すように、側部７Ａの近傍に開口部５Ａを設けた場合であれば、窓部７Ｂの片方の窓だけに反射部材８を設置しても構わない。このようにすると、窓部７Ｂの通風性を確保しつつ、室内に光ダクト３から入射する太陽光を効率良く導くことができるとともに、窓部７Ｂの開閉をより簡易に行うことができる。尚、下部６または側部７Ａに開口部５Ａを設けた場合には、室内側へ太陽光を反射できるように、反射部材８の設置場所を適宜変更する。
【００５８】
また、反射部材８を接着剤などで上部５及び下部６に固定せずに、設置してもよい。例えば、反射部材８の背面にスタンドを設けて、当該スタンドで反射部材８を支持しても構わない。このようにすると、反射部材８の設置及び撤去が容易となり、設置の自由度が高まる。
【００５９】
次に、本発明の第３の実施形態について、図７及び図８を用いて説明する。尚、第３の実施形態に係る採光装置１の説明においては、第１及び第２の実施形態に係る採光装置１と重複する部分については、説明を省略する。また、図８（ａ）は、図７の採光装置１の平面図であり、（ｂ）は、室内側から見たときの正面図である。
【００６０】
第３の実施形態に係る採光装置１は、光ダクト３を横にして、出窓ユニット２，２の上に取り付けた点に特徴がある。
【００６１】
図７に示すように、第３の実施形態に係る採光装置１は、一つの光ダクト３を複数の出窓ユニット２，２に連結している。光ダクト３の一端は、図７に示すように、太陽光Ｌを採り入れやすいように、玄関側の外壁面より突出されるとともに、斜めに切り落としたような形状に形成されている。光ダクト３の他端は、図８に示すように、閉塞されており、胴体に放光口３Ｂ，３Ｂが設けられている。放光口３Ｂ，３Ｂは、それぞれ出窓ユニット２，２の開口部５Ａ，５Ａに連通している。図８（ｂ）に示すように、各放光口３Ｂ，３Ｂには、反射板３Ｃ，３Ｃが傾倒して設けられている。反射板３Ｃは、その上端が光ダクト３内の上面と隙間を空けて設けられており、下端が放光口３Ｂの開口端に固定されている。尚、出窓ユニット２の数は、これに限定されることなく、３つ以上でも構わない。
【００６２】
かかる構成により、図８（ｂ）に示すように、採光口３Ａに入射した太陽光Ｌは、反射を繰り返しながら光ダクト３内を進み、太陽光Ｌの一部が、反射板３Ｃに反射して、開口部５Ａを介して、放光口３Ｂから出窓ユニット２内へ放光される。また、残りの太陽光Ｌも、反射を繰り返しながら光ダクト３内を進み、光ダクト３の他端側の反射板３Ｃに反射して、開口部５Ａを介して、放光口３Ｂから出窓ユニット２内へ放光される。
【００６３】
以上説明した第３の実施形態に係る採光装置１によれば、出窓ユニット２に光ダクト３を設けたことにより、光ダクト３を横付け（横架）することが可能となり、その結果、出窓ユニット２が複数ある場合でも、１つの光ダクト３を設置するだけで済むので、施工コスト及び施工手間を低減することができる。
また、一階の出窓からの眺望だけでなく、二階の窓からの眺望も損なうことがない。すなわち、図７に示すように、建物Ｔの一階に出窓ユニット２があり、出窓ユニット２の真上に二階の窓がある場合において、光ダクト３を縦に取り付けると、二階の窓からの眺望を損なうことになるが、かかる構成にすれば、二階の窓からの眺望も損なわれない。
【００６４】
以上、本発明の実施形態について説明したが、本発明の趣旨を逸脱しない範囲で適宜変更して実施できるのはいうまでもない。本実施形態では、本発明を戸建て住宅に用いたが、例えば、マンションやアパートなどに用いても構わない。
【００６５】
また、本実施形態では、本発明を平面視台形状の出窓ユニット２に用いたが、例えば、平面視三角形状、平面視四角形状、平面視多角形状（ベイウィンドウ）、平面視弓形状（ボウウィンドウ）などの出窓ユニット２に用いても構わない。
【図面の簡単な説明】
【００６６】
【図１】本実施形態に係る採光装置の設置状態を示す全体斜視図である。
【図２】第１の実施形態に係る採光装置の構成を示す斜視図である。
【図３】第２の実施形態に係る採光装置の構成を示す斜視図である。
【図４】第１の変形例に係る反射部材の構成を示す斜視図である。
【図５】（ａ）は、第２の変形例に係る反射部材の構成を示す斜視図であり、（ｂ）は、第３の変形例に係る反射部材の構成を示す斜視図である。
【図６】（ａ）は、第４の変形例に係る反射部材の構成を示す正面図であり、（ｂ）は、第５の変形例に係る反射部材の構成を示す正面図である。
【図７】第３の実施形態に係る採光装置の設置状態を示す全体斜視図である。
【図８】（ａ）は、図７の採光装置の平面図であり、（ｂ）は、室内側から見たときの正面図である。
【符号の説明】
【００６７】
１      採光装置
２      出窓ユニット
３      光ダクト
３Ａ    採光口
３Ｂ    放光口
４      枠
５      上部
５Ａ    開口部
６      下部
７Ａ    側部
７Ｂ    窓部
８      反射部材
Ｔ      建物
【図１】
0005077039.tif 000002
【図２】
0005077039.tif 000003
【図３】
0005077039.tif 000004
【図４】
0005077039.tif 000005
【図５】
0005077039.tif 000006
【図６】
0005077039.tif 000007
【図７】
0005077039.tif 000008
【図８】
0005077039.tif 000009